(57)【要約】【課題】製造コストを抑え、取付部分ががたつかない棚用ブラケットの取付構造を提供する。【解決方法】棚板を架け渡す支柱１０に、棚板を支持する棚用ブラケット２０を係合する棚の取付構造において、角柱状に形成した前記支柱は、側面の上下方向に沿って断面コの字状の凹溝１１を設け、該凹溝の底部に支柱を貫通する断面円形の嵌合穴１２を所定の間隔で複数個並設する。前記棚用ブラケットは、角柱状の嵌合部２１と断面略L字状に形成した棚板支持部２２とからなり、嵌合部の一側面に前記棚板支持部を固着し、対向する他の側面に上側嵌合突部２３ａと下側嵌合突部２３ｂを設ける。そして、前記嵌合穴のうちのいずれか２箇所に前記上側嵌合突部及び下側嵌合突部が嵌合すると共に、前記凹溝に前記嵌合部が嵌合する。【選択図】図１
2006305024.tif 000002
【特許請求の範囲】
【請求項１】
棚板を架け渡す支柱へ棚板を支持する棚用ブラケットを取り付ける構造であって、前記支柱の側面に上下方向に沿って凹溝を設けると共に、該凹溝の底部に複数個の嵌合穴を所定の間隔で上下方向に沿って列設し、前記棚用ブラケットに前記凹溝に着脱可能に嵌合する嵌合部と棚板支持部及び前記嵌合穴に着脱可能に嵌合する嵌合突部を設け、前記嵌合部を前記凹溝に嵌合すると共に、前記嵌合突部を前記嵌合穴のいずれかに嵌合することにより、前記棚用ブラケットを前記支柱に取り付けるように構成したことを特徴とする棚用ブラケットの取付構造。
【発明の詳細な説明】
【技術分野】
【０００１】
本発明は、棚構造に関し、より詳しくは棚の支柱に棚用ブラケットを取り付ける構造に関する。
【背景技術】
【０００２】
棚構造の一形式として、特開２００３−２３５６５２号公報には、支柱と支柱の間に棚板を架け渡した棚構造の棚受け板の取り付け構造が開示されている。
【特許文献１】特開２００３−２３５６５２号
【発明の開示】
【発明が解決しようとする課題】
【０００３】
上記棚受け板の取り付け構造にあっては、支柱に複数の溝を設けなければならず、棚受け板もそれら溝に合わせて、係合する突片を複数個所切り起こさなければならないため、製造工程が複雑になり、コストがかかってしまう。また、位置決め突片は位置決め溝に遊嵌し、引っ掛け片を挿通穴に引っ掛ける構成であるため、棚板の移し替え等によって棚受け板を繰返し架け替えると挿通穴が広がり、棚受け板ががたつくようになるので棚板が安定しなくなるおそれがある。
【０００４】
本発明はかかる問題点に鑑み、製造コストを抑え、取付部分ががたつかない棚用ブラケットの取付構造を提供することを目的とする。
【課題を解決するための手段】
【０００５】
請求項１に記載の発明は、棚板を架け渡す支柱へ棚板を支持する棚用ブラケットを取り付ける構造であって、前記支柱の側面に上下方向に沿って凹溝を設けると共に、該凹溝の底部に複数個の嵌合穴を所定の間隔で上下方向に沿って列設し、前記棚用ブラケットに前記凹溝に着脱可能に嵌合する嵌合部と棚板支持部及び前記嵌合穴に着脱可能に嵌合する嵌合突部を設け、前記嵌合部を前記凹溝に嵌合すると共に、前記嵌合突部を前記嵌合穴のいずれかに嵌合することにより、前記棚用ブラケットを前記支柱に取り付けるように構成したことを特徴とする。
【発明の効果】
【０００６】
本発明に係る棚構造によれば、凹溝底部に設けた嵌合穴と嵌合突部、そして支柱に設けた凹溝と嵌合部がそれぞれ嵌合し、棚用ブラケットは嵌合突部と嵌合部とで支柱に係合し、固定されるようにした。したがって、嵌合突部に対し、嵌合穴の口端部が広がってしまっても、凹溝に嵌合する嵌合部ががたつきを抑えることが可能となる。
【発明を実施するための最良の形態】
【０００７】
棚板を架け渡す支柱に、棚板を支持する棚用ブラケットを係合する棚の取付構造において、角柱状に形成した前記支柱は、側面の上下方向に沿って断面コの字状の凹溝を設け、該凹溝の底部に支柱を貫通する断面円形の複数個の嵌合穴を所定の間隔で上下方向に沿って列設する。
前記棚用ブラケットは、角柱状の嵌合部と断面略L字状に形成した棚板支持部とからなり、嵌合部の一側面に前記棚板支持部を固着し、対向する他の側面に上側嵌合突部と下側嵌合突部を設ける。
そして、前記嵌合穴のうちのいずれか２箇所に前記上側嵌合突部及び下側嵌合突部が嵌合すると共に、前記凹溝に前記嵌合部が嵌合する。
【実施例１】
【０００８】
以下に本発明を図面に基づき説明する。
図１には本発明の一実施形態に係る棚用ブラケットの取付構造を示す。本実施例は、支柱１０と、棚用ブラケット２０とからなり、棚用ブラケット２０は嵌合部２１と棚板支持部２２とからなる。
【０００９】
支柱１０は、木材等を角柱状に形成し、その周囲に合成樹脂等からなる化粧シートを貼着する。そして、支柱１０の左右側面には、上下方向に沿って断面略コの字状の凹溝１１が設けられる。そして、凹溝１１の底部には、支柱を貫通し、所定の間隔で円筒状に形成した嵌合穴１２を上下方向に沿って複数個列設する。
【００１０】
棚用ブラケット２０の嵌合部２１は、断面の形状が凹溝１１と略同じブロック状に形成し、支柱１０と係合する外側面側には、嵌合部２１の上端部付近と下端部付近にそれぞれ円柱状に形成された上側嵌合突部２３ａと下側嵌合突部２３ｂとを嵌合部２１にビス２４ａ等の固着具によって固着する。
また、棚用ブラケット２０の棚板支持部２２は、板材を折曲或いは接着等して、断面略L字状に形成し、ビス２４ｂ等の固着具によって嵌合部２１に固着する。
【００１１】
支柱１０、及び棚用ブラケット２０の構成は以上であって、図２に本実施例に係る棚用ブラケット２０の取付構造による棚の構造を示すと共に、図３に棚用ブラケット２０を支柱１０に取り付けた部分の横断面図を示し、図４に本実施例に係る平面図を示して使用方法を説明する。
図２に示すように、本実施例に係る棚３０は、支柱１０をクローゼット等の収納場所３１の床面に立設して上端を棟木３４に固定し、一対の棚用ブラケット２０を所定の高さに対向して支柱１０に係止し、棚板支持部２２に棚板３２を載せて構成される。
【００１２】
支柱１０と棚用ブラケット２０は、図３、図４に示すように、嵌合部２１と上側嵌合突部２３ａ及び下側嵌合突部２３ｂを、支柱１０の凹溝１１と、所定高さにある嵌合穴１２ａ，１２ｂにそれぞれ嵌合する。
嵌合部２１は厚さを凹溝１１の深さと同程度に形成したので、嵌合部２１の棚板支持部２２側の側面は、支柱１０の側面と面一に構成され、棚板支持部２２は支柱１０の側面に当接する。
【００１３】
本実施例によれば、支柱１０を心材となる木材等の周囲に化粧シートを貼着して構成したので、アルミ押出し成型品による支柱を使用するよりも、コストを抑えることができる。
また、棚板３１に物品を載せた際に力のかかる嵌合突部２３が嵌合穴１２を広げてしまっても、嵌合部２１が凹溝１１に嵌合しているので、がたつきを抑えることが可能である。
さらに、棚板支持部２２と支柱１０が当接し、棚板３２と支柱１０の隙間を小さくできるので、イヤリング等の小物が隙間から落下することを防ぐことができる。
加えて、嵌合部２１と棚板支持部２２を別体に構成したので、例えば、棚の奥行き方向に向かって若干下がるように棚板支持部２２を調整して棚板に傾斜を設ければ、転がりやすい物等が棚板から落下することを防ぐことができる。
【００１４】
本実施例においては、上側嵌合突部２３ａと下側嵌合突部２３ｂを形成したが、他に嵌合部２１の側面に嵌合突部２３を所定の位置に一箇所設けた構成にしても良い。
また、棚用ブラケット２０を構成する嵌合部２１と棚板支持部２２及び嵌合突部２３を金属製、合成樹脂製若しくは木材等からなる一体成型品として構成しても良い。
【図面の簡単な説明】
【００１５】
【図１】本発明の実施例１に係る棚用ブラケットの取付構造を示す斜視図である。
【図２】本発明の実施例１に係る棚用ブラケットの取付構造による棚の構造を示す斜視図である。
【図３】本発明の実施例１に係る棚用ブラケットを支柱に取り付けた部分の横断面図である。
【図４】本発明の実施例１に係る棚用ブラケットの取付構造を示す平面図である。
【符号の説明】
【００１６】
１０…支柱、１１…凹溝、１２…嵌合穴。
２０…棚用ブラケット、２１…嵌合部、２２…棚板支持部、２３…嵌合突部、２４…ビス。
３０…棚、３１…収納場所、３２…棚板、３３…壁面、３４…棟木。
【図１】
2006305024.tif 000003
【図２】
2006305024.tif 000004
【図３】
2006305024.tif 000005
【図４】
2006305024.tif 000006